(57)【要約】【課題】  ファイナライズ処理を必要とする記録媒体に情報データを記録した後のファイナライズ処理時間を短縮することができるようにする。【解決手段】  情報データの記録時間を基に情報データを記録する記録領域と情報データの記録終了後に未記録領域になると予測されるファイナライズ処理を行う領域とを算出し、算出された情報データの記録領域への情報データの記録と算出された情報データの記録領域から所定距離離れたファイナライズ処理を行う領域に所定のダミーデータを記録するファイナライズ処理とを交互に繰り返して、情報データの記録が終了して情報データの記録領域が確定した後に、記録媒体の残りの未ファイナライズ領域に所定のダミーデータを記録してファイナライズ処理を行うようにする。【選択図】        図２
2006114128.tif 000002
【特許請求の範囲】
【請求項１】
ファイナライズ処理を必要とする記録媒体に情報データを記録再生するディスク装置であって、
情報データの記録時間を基に情報データを記録する記録領域と情報データの記録終了後に未記録領域になると予測されるファイナライズ処理を行う領域とを算出する算出手段と、情報データを一時的に記憶する記憶手段と、前記算出手段により算出された情報データの記録領域に前記記憶手段に記憶されている情報データを記録する記録手段と、前記算出手段により算出された情報データの記録領域から所定距離離れたファイナライズ処理を行う領域に所定のダミーデータを記録してファイナライズ処理を行う第１のファイナライズ処理手段と、前記記録手段による情報データの所定量の記録と前記第１のファイナライズ処理手段による所定のダミーデータの所定量の記録とを交互に繰り返す制御手段と、情報データの記録が終了して情報データの記録領域が確定した後に、記録媒体の残りの未ファイナライズ領域に所定のダミーデータを記録してファイナライズ処理を行う第２のファイナライズ処理手段とを備えたことを特徴とするディスク装置。
【請求項２】
ファイナライズ処理を必要とする記録媒体に情報データを記録再生するディスク装置であって、
情報データの記録時間を基に情報データを記録する記録領域と情報データの記録終了後に未記録領域になると予測されるファイナライズ処理を行う領域とを算出する算出手段と、情報データを一時的に記憶する記憶手段と、前記算出手段により算出された情報データの記録領域に前記記憶手段に記憶されている情報データを記録する記録手段と、前記算出手段により算出された情報データの記録領域から所定距離離れたファイナライズ処理を行う領域に所定のダミーデータを記録してファイナライズ処理を行う第１のファイナライズ処理手段と、前記記録手段による情報データの記録と前記第１のファイナライズ処理手段による所定のダミーデータの記録とを制御する制御手段と、情報データの記録が終了して情報データの記録領域が確定した後に、記録媒体の残りの未ファイナライズ領域に所定のダミーデータを記録してファイナライズ処理を行う第２のファイナライズ処理手段とを備えたことを特徴とするディスク装置。
【請求項３】
前記制御手段は、前記記録手段による情報データの所定量の記録と前記第１のファイナライズ処理手段による所定のダミーデータの所定量の記録とを交互に繰り返す制御手段であることを特徴とする請求項２記載のディスク装置。
【請求項４】
ファイナライズ処理を必要とする記録媒体に情報データを記録再生するディスク装置の記録方法であって、
情報データの記録時間を基に情報データを記録する情報データの記録領域と情報データの記録後に未記録領域となると予測されるファイナライズ処理を行う領域とを算出する第１のステップと、算出された記録領域に情報データを所定量記録する第２のステップと、算出された情報データの記録領域から所定距離離れたファイナライズ処理を行う領域に所定のダミーデータを所定量記録してファイナライズ処理を行う第３のステップと、情報データの記録媒体への記録が終了していない場合、前記第２のステップと前記第３のステップとを交互に繰り返し、情報データの記録が終了した場合、情報データの記録が終了して確定した情報データの記録領域の外周側の残りの未ファイナライズ領域に所定のダミーデータを記録してファイナライズ処理を行う第４のステップとを備えたことを特徴とするディスク装置の記録方法。
【発明の詳細な説明】
【技術分野】
【０００１】
本発明は、ＤＶＤ（Ｄｉｇｉｔａｌ  Ｖｅｒｓａｔｉｌｅ  Ｄｉｓｃ）等の記録媒体に情報データを記録再生するディスク装置及びその記録方法に係り、特にＤＶＤ等の記録媒体のファイナライズ処理に要する時間を短縮することができるディスク装置及びその記録方法に関する。
【背景技術】
【０００２】
周知のように、ファイナライズ処理を必要とするＤＶＤ等の記録媒体に情報データを記録した場合、再生装置で記録媒体に記録された情報データを再生することができるようにするためには、記録媒体の未記録領域に所定のダミーデータを書き込むファイナライズ処理を行わなければならない。しかし、ファイナライズ処理を開始すると、ファイナライズ処理が終了するまでの間、記録媒体の取り出しや他の情報データの記録再生ができなくなるという問題点があった。また、ファイナライズ処理は情報データが記録された記録媒体の未記録領域に所定のダミーデータを書き込むため、その未記録領域に所定のダミーデータを記録するファイナライズ処理に記録媒体の記録領域の未記録領域の記録容量によっては数十分から２時間程度の長時間を要するという問題点があった。
背景技術としては、記録媒体の再生時に必要となるファイル管理情報等を記録媒体の管理情報領域に書き込む簡易ファイナライズ処理を行い、必要に応じて簡易ファイナライズ処理を行った記録媒体の境界領域に記録媒体のアクセス位置のアドレス情報の取得等に必要となる所定の情報、データを書き込む追加ファイナライズ処理を行うようにしたものがあった（例えば、特許文献１参照）。
【特許文献１】特開２００３−１３２６３０号公報
【発明の開示】
【発明が解決しようとする課題】
【０００３】
しかしながら、背景技術で述べたものにおいては、記録媒体の再生時に必要となるファイル管理情報等を記録媒体の管理情報領域に書き込む簡易ファイナライズ処理を行い、必要に応じて簡易ファイナライズ処理を行った記録媒体の境界領域に記録媒体のアクセス位置のアドレス情報の取得等に必要となる所定の情報、データを書き込む追加ファイナライズ処理を行うことができたが、情報データを記録媒体に記録した後に、ファイル管理情報等を記録媒体の管理情報領域に書き込んで、記録媒体の取り出しを可能にしたもので、上記問題点を解決するようにしたものではなかった。
本発明は、背景技術の有するこのような問題点に鑑みてなされたものであり、その目的とするところは、ファイナライズ処理を必要とする記録媒体に情報データを記録した後のファイナライズ処理に要する時間を短縮することができるディスク装置を提供しようとするものである。
【課題を解決するための手段】
【０００４】
上記目的を達成するため本発明においては、ファイナライズ処理を必要とする記録媒体に情報データを記録再生するディスク装置であって、情報データの記録時間を基に情報データを記録する記録領域と情報データの記録終了後に未記録領域になると予測されるファイナライズ処理を行う領域とを算出する算出手段と、情報データを一時的に記憶する記憶手段と、前記算出手段により算出された情報データの記録領域に前記記憶手段に記憶されている情報データを記録する記録手段と、前記算出手段により算出された情報データの記録領域から所定距離離れたファイナライズ処理を行う領域に所定のダミーデータを記録してファイナライズ処理を行う第１のファイナライズ処理手段と、前記記録手段による情報データの記録と前記第１のファイナライズ処理手段による所定のダミーデータの記録とを制御する制御手段と、情報データの記録が終了して情報データの記録領域が確定した後に、記録媒体の残りの未ファイナライズ領域に所定のダミーデータを記録してファイナライズ処理を行う第２のファイナライズ処理手段とを備える。
前記制御手段は、前記記録手段による情報データの所定量の記録と前記第１のファイナライズ処理手段による所定のダミーデータの所定量の記録とを交互に繰り返すようにするとよい。
これらの手段により、ファイナライズ処理を必要とする記録媒体に情報データを記録した後のファイナライズ処理に要する時間を短縮することができる。
【発明の効果】
【０００５】
請求項１記載の発明に係るディスク装置によれば、情報データの記録時間を基に情報データを記録する記録領域と情報データの記録終了後に未記録領域になると予測されるファイナライズ処理を行う領域とを算出し、算出された情報データの記録領域への情報データの記録と算出された情報データの記録領域から所定距離離れたファイナライズ処理を行う領域に所定のダミーデータを記録するファイナライズ処理とを交互に繰り返して、情報データの記録が終了して情報データの記録領域が確定した後に、記録媒体の残りの未ファイナライズ領域に所定のダミーデータを記録してファイナライズ処理を行うようにしているので、情報データの記録とファイナライズ処理と平行して行うことができ、ファイナライズ処理を必要とする記録媒体に情報データを記録した後のファイナライズ処理に要する時間を短縮することができる。
請求項２記載の発明に係るディスク装置によれば、情報データの記録時間を基に情報データを記録する記録領域と情報データの記録終了後に未記録領域になると予測されるファイナライズ処理を行う領域とを算出し、算出された情報データの記録領域への情報データの記録と算出された情報データの記録領域から所定距離離れたファイナライズ処理を行う領域に所定のダミーデータを記録するファイナライズ処理とを制御して、情報データの記録が終了して情報データの記録領域が確定した後に、記録媒体の残りの未ファイナライズ領域に所定のダミーデータを記録してファイナライズ処理を行うようにしているので、ファイナライズ処理を必要とする記録媒体に情報データを記録した後のファイナライズ処理に要する時間を短縮することができる。
請求項３記載の発明に係るディスク装置によれば、情報データの記録領域への情報データの所定量の記録と情報データの記録終了後に未記録領域になると予測されるファイナライズ処理を行う領域への所定のダミーデータの所定量の記録とを交互に繰り返すようにしているので、情報データの記録とファイナライズ処理と平行して行うことができ、ファイナライズ処理を必要とする記録媒体に情報データを記録した後のファイナライズ処理に要する時間を短縮することができる。
請求項４記載の発明に係るディスク装置によれば、情報データの記録時間を基に情報データを記録する情報データの記録領域と情報データの記録後に未記録領域となると予測されるファイナライズ処理を行う領域とを算出し、算出された情報データの記録領域への所定量の情報データの記録と算出された情報データの記録領域から所定距離離れたファイナライズ処理を行う領域への所定量の所定のダミーデータの記録とを交互に繰り返して、情報データの記録が終了して確定した情報データの記録領域の外周側の残りの未ファイナライズ領域に所定のダミーデータを記録してファイナライズ処理を行うようにしているので、情報データの記録とファイナライズ処理と平行して行うことができ、ファイナライズ処理を必要とする記録媒体に情報データを記録した後のファイナライズ処理に要する時間を短縮することができる。
【発明を実施するための最良の形態】
【０００６】
以下、適宜図面を参照しながら本発明を実施するための最良の形態を詳述する。図１は本発明の一実施例のディスク装置の構成を示すブロック図であり、図２は本発明の一実施例のディスク装置の動作を示す説明図であり、図３は本発明の一実施例のディスク装置の動作を示すフローチャートである。
まず、図１の本発明の一実施例のディスク装置の構成を示すブロック図を基に説明する。
ディスク装置１は、光ディスク２の記録面にレーザ光を照射して情報データを光ディスク２に記録するとともに、光ディスク２にレーザ光を照射してその反射光を検出して光ディスク２に記録された情報データを読み出す光ピックアップ３と、光ディスク２を回転させるスピンドルモータ４と、スピンドルモータ４を駆動して光ディスク２の回転速度を所定の回転速度にサーボ制御するスピンドルサーボ回路５と、光ピックアップ３を光ディスク２の半径方向に移動させるスレッドモータ６と、スレッドモータ６の回転方向と回転速度とをサーボ制御するスレッドサーボ回路７と、光ピックアップ３により検出されたトラッキング誤差信号に基づいて光ピックアップ３のトラッキングをサーボ制御するトラッキングサーボ回路８と、光ピックアップ３により検出されたフォーカス誤差信号に基づいて光ピックアップ３のフォーカッシングをサーボ制御するフォーカスサーボ回路９と、アンテナ１６により受信されたテレビ放送電波から選択されたチャンネルのテレビ放送番組を受信するチューナ１０と、光ピックアップ３により読み出された情報データを基準クロックに基づいて同期検出して復調し、復調された情報データの誤りを訂正して、所定の圧縮方式に基づいて圧縮された情報データを伸張し、復号して情報データ再生するとともに、情報データを符号化して、所定の圧縮方式に基づいて圧縮し、光ピックアップ３を駆動して光ディスク２に情報データを記録する信号処理回路１１と、情報データを一時的に記憶するバッファメモリ１２と、ディスク装置１のシステム全体を制御するマイコン１３と、カレンダと時刻とを管理する時計回路１４と、リモコン装置２０から送信された赤外線信号のリモコン信号を受信して、所定の電気信号に変換するリモコン受信部１５とで構成されている。
以上のように構成されたディスク装置について、図２の本発明の一実施例のディスク装置の動作を示す説明図を参照しながら、以下その動作について説明する。
タイマ予約録画等の記録時間が既知の情報データの光ディスク２への記録が指令されると、マイコン１３は、情報データの記録時間を基に情報データを記録する光ディスク２の内周側の記録領域２ａと情報データの記録終了後に未記録領域になると予測されるファイナライズ処理を行う光ディスク２の外周側の領域２ｂ、２ｃとを算出する（図２参照）。そして、マイコン１３は、スピンドルサーボ回路５に制御信号を送出して、スピンドルモータ４を回転させて光ディスク２を所定の回転速度、例えば２倍速以上の回転速度で回転させ、スレッドサーボ回路７に制御信号を送出して、スレッドモータ６を駆動して光ピックアップ３を光ディスク２の内周側の記録領域２ａ（図２参照）に移動させ、信号処理回路１１に制御信号を送出して、光ディスク２の記録領域２ａにバッファメモリ１２に記憶されている情報データを所定量、例えば、等倍速再生時間で１５秒分を２倍速以上の記録速度で記録する。
バッファメモリ１２に記憶されている情報データを光ディスク２の記録領域２ａ（図２参照）に所定量記録すると、マイコン１３は、スレッドサーボ回路７に制御信号を送出して、スレッドモータ６を駆動して光ピックアップ３を情報データの記録終了後に未記録領域になると予測される光ディスク２の情報データの記録領域２ａから所定距離離れた外周側のファイナライズ処理を行う領域２ｃ（図２参照）に移動させ、信号処理回路１１に制御信号を送出して、所定のダミーデータ、例えば、１６進数の００Ｈを光ディスク２の記録領域２ｃに所定量記録して光ディスク２の記録領域２ｃのファイナライズ処理を行う。
情報データの記録終了後に未記録領域になると予測される情報データの記録領域２ａから所定距離離れた外周側の光ディスク２のファイナライズ処理を行う領域２ｃ（図２参照）に所定のダミーデータを所定量記録すると、マイコン１３は、スレッドサーボ回路７に制御信号を送出して、スレッドモータ６を駆動して光ピックアップ３を光ディスク２の記録領域２ａ（図２参照）に移動させ、バッファメモリ１２に記憶されている情報データを光ディスク２の記録領域２ａに記録し、光ディスク２の記録領域２ａにバッファメモリ１２に記憶されている情報データを所定量記録すると、スレッドサーボ回路７に制御信号を送出して、スレッドモータ６を駆動して光ピックアップ３を情報データの記録終了後に未記録領域になると予測される光ディスク２の情報データの記録領域２ａから所定距離離れた外周側のファイナライズ処理を行う領域２ｃ（図２参照）に移動させ、光ディスク２のファイナライズ処理を行う領域２ｃに所定のダミーデータを所定量記録してファイナライズ処理を行い、情報データの光ディスク２の記録領域２ａへの記録と情報データの記録終了後に未記録領域になると予測される光ディスク２の情報データの記録領域２ａから所定距離離れた外周側のファイナライズ処理を行う領域２ｃのファイナライズ処理とを交互に繰り返す。
そして、情報データの光ディスク２の記録領域２ａへの記録と情報データの記録後に未記録領域になると予測される光ディスク２の情報データの記録領域２ａから所定距離離れた外周側のファイナライズ処理を行う領域２ｃのファイナライズ処理とを交互に繰り返して、情報データの光ディスク２の記録領域２ａへの記録が終了して情報データの記録領域２ａ（図２参照）が確定すると、マイコン１３は、スレッドサーボ回路７に制御信号を送出して、スレッドモータ５を駆動して光ピックアップ３を情報データが記録された光ディスク２の記録領域２ａの外周側の残りの未ファイナライズ領域２ｂ（図２参照）に移動させ、所定のダミーデータを光ディスク２の残りの未ファイナライズ領域２ｂに記録して、光ディスク２のファイナライズ処理を終了する。これにより、情報データの記録中に、情報データの記録後に未記録領域になると予測される光ディスクの情報データの記録領域から所定距離離れた外周側の記録領域のファイナライズ処理を平行して行い、情報データの記録が終了して情報データの記録領域が確定した後に、光ディスクの残りの未ファイナライズ領域のファイナライズ処理を行うようにしているので、情報データの記録終了後のファイナライズ処理に要する時間を短縮することができる。
また、図３の本発明の一実施例のディスク装置の動作を示すフローチャートを基に説明する。
タイマ予約録画等の記録時間が既知の情報データの光ディスクへの記録が指令されると、ステップＳ１からステップＳ２に進み、ステップＳ２で、情報データの記録時間を基に情報データを記録する光ディスクの内周側の情報データの記録領域と情報データの記録後に未記録領域となると予測されるファイナライズ処理を行う光ディスクの外周側の領域とを算出して、ステップＳ３に進む。
ステップＳ３で、光ピックアップが光ディスクの内周側の情報データの記録領域に移動されて、ステップＳ４に進む。
ステップＳ４で、バッファメモリに記憶されている情報データが光ディスクの内周側の記録領域に記録されて、ステップＳ５に進む。
ステップＳ５で、バッファメモリに記憶されている情報データが光ディスクの内周側の記録領域に所定量記録されたか否かが判断され、情報データが所定量記録された場合、ステップＳ６に進み、情報データが所定量記録されていない場合、ステップＳ４に戻って、ステップＳ４からのステップを繰り返す。
ステップＳ６で、光ピックアップが光ディスクの情報データの記録領域から所定距離離れた外周側のファイナライズ処理を行う領域に移動させられて、ステップＳ７に進む。
ステップＳ７で、所定のダミーデータが光ディスクの情報データの記録領域から所定距離離れた外周側のファイナライズ処理を行う領域に記録されてファイナライズ処理が行われ、ステップＳ８に進む。
ステップＳ８で、所定のダミーデータが光ディスクの情報データの記録領域から所定距離離れた外周側のファイナライズ処理を行う領域に所定量記録されたか否かが判断され、所定のダミーデータが所定量記録された場合、ステップＳ９に進み、所定のダミーデータが所定量記録されていない場合、ステップＳ７に戻って、ステップＳ７からのステップを繰り返す。
ステップＳ９で、情報データの光ディスクへの記録が終了したか否かが判断され、情報データの光ディスクへの記録が終了した場合、ステップＳ１０に進み、情報データの光ディスクへの記録が終了していない場合、ステップＳ３に戻って、ステップＳ３からのステップを繰り返す。
ステップＳ１０で、光ピックアップが情報データの記録が終了して確定した光ディスクの情報データの記録領域の外周側の残りの未ファイナライズ領域に移動されて、ステップＳ１１に進む。
ステップＳ１１で、所定のダミーデータが情報データの記録が終了して確定した光ディスクの情報データの記録領域の外周側の残りの未ファイナライズ領域に記録されてファイナライズ処理が行われ、ステップＳ１２に進む。
ステップＳ１２で、光ディスクの残りの未ファイナライズ領域のファイナライズが終了したか否かが判断され、光ディスクの残りの未ファイナライズ領域のファイナライズが終了した場合、ステップＳ１３に進んで処理を終了し、光ディスクの残りの未ファイナライズ領域のファイナライズが終了していない場合、ステップＳ１１に戻って、ステップＳ１１からのステップを繰り返す。
以上、本発明を実施するための最良の形態について詳述したが、本発明はこれに限らず、当業者の通常の知識の範囲内でその変形や改良が可能である。例えば、光ディスクの情報データの記録領域から所定距離離れた外周側のファイナライズを行う領域を内周側からファイナライズ処理を行うことを説明したが、光ディスクの情報データの記録領域から所定距離離れた外周側のファイナライズ処理を行う領域を外周側からファイナライズ処理を行うようにしてもよい。
【図面の簡単な説明】
【０００７】
【図１】本発明の一実施例のディスク装置の構成を示すブロック図である。
【図２】本発明の一実施例のディスク装置の動作を示す説明図である。
【図３】本発明の一実施例のディスク装置の動作を示すフローチャートである。
【符号の説明】
【０００８】
１  ディスク装置
２  光ディスク
３  光ピックアップ
４  スピンドルモータ
５  スピンドルサーボ回路
６  スレッドモータ
７  スレッドサーボ回路
８  トラッキングサーボ回路
９  フォーカスサーボ回路
１０  チューナ
１１  信号処理回路
１２  バッファメモリ
１３  マイコン
１４  時計回路
１５  リモコン受信部
１６  アンテナ
２０  リモコン装置
【図１】
2006114128.tif 000003
【図２】
2006114128.tif 000004
【図３】
2006114128.tif 000005